(57)【要約】      （修正有）【課題】簡易的に組み立てることが可能であり、かつ、各避難民の居住空間を固定されたものにすることができる避難所用折り畳み式パーティションを提供する。【解決手段】折り畳み状態、展開状態、組立状態の３態様をとることが可能なパーティションであって、組立状態において、床面部１と、これを取り囲むように配置される複数の壁面部２と、壁面部２で囲まれる空間を避難用の居住空間とし、壁面部２の一部に扉２ａが形成され、床面部１と壁面部２の間の境界ライン、壁面部２と壁面部２の間の境界ラインは、予め連結された第１ラインか、予め連結されない第２ラインかのいずれかに設定され、折り畳み状態とするに際しては、第１ラインで折り畳むことで、扁平な直方体状に折り畳むことでき、折り畳み状態から展開して、床面部１に対して壁面部２を垂直に設定し、第２ラインを連結させることで、完成された組立状態とする。【選択図】図１Ａ
0003156202.tif 000002
【実用新案登録請求の範囲】
【請求項１】
折り畳み状態、展開状態、組立状態の３つの態様をとることが可能な避難所用折り畳み式パーティションであって、
前記組立状態において、少なくとも１つの床面部と、この床面部を取り囲むように配置される複数の壁面部とを備え、この壁面部で囲まれる空間を避難用の居住空間とし、かつ、前記壁面部の一部に扉が形成され、
前記床面部と前記壁面部を基本パーツの１つもしくは複数により構成し、基本パーツの間の境界ラインは、予め連結された第１ラインか、予め連結されない第２ラインかのいずれかに設定され、前記折り畳み状態とするに際しては、前記第１ラインで折り畳むことで、全体として扁平な直方体状に折り畳むことが可能に構成され、
前記折り畳み状態から展開して、床面部に対して壁面部を垂直に設定し、前記第２ラインを連結させることで、完成された組立状態とするように構成した避難所用折り畳み式パーティション。
【請求項２】
前記扉は、壁面部の中に折り曲げラインを設定することで、開閉可能な扉とすることを特徴とする請求項１に記載の避難所用折り畳み式パーティション。
【請求項３】
前記居住空間の内部を仕切る室内用壁面部を組立状態において取り付け可能に構成したことを特徴とする請求項１又は２に記載の避難所用折り畳み式パーティション。
【請求項４】
前記居住空間の内部を仕切る室内用壁面部を設け、この室内用壁面部に仕切られた居住空間を行き来するための扉を形成したことを特徴とする請求項１〜３のいずれか１項に記載の避難所用折り畳み式パーティション。
【請求項５】
前記居住空間の一部に天井を形成するための天井部を壁面部と前記第１ラインにより連結していることを特徴とする請求項１〜４のいずれか１項に記載の避難所用折り畳み式パーティション。
【請求項６】
床面部を複数の前記基本パーツに分割し、これら基本パーツどうしの境界ラインを前記第２ラインに設定していることを特徴とする請求項１〜５のいずれか１項に記載の避難所用折り畳み式パーティション。
【請求項７】
前記組立状態において、床面部は前記基本パーツが上下に２枚重ねになることを特徴とする請求項６に記載の避難所用折り畳み式パーティション。
【請求項８】
前記床面部、壁面部は、段ボールにより形成することを特徴とする請求項１〜７のいずれか１項に記載の避難所用折り畳み式パーティション。
【請求項９】
前記床面部、壁面部は、ウレタンボード、または、樹脂発泡ボードにより形成されることを特徴とする請求項１〜７のいずれか１項に記載の避難所用折り畳み式パーティション。
【考案の詳細な説明】
【技術分野】
【０００１】
本考案は、折り畳み状態、展開状態、組立状態の３つの態様をとることが可能な避難所用折り畳み式パーティションに関するものである。
【背景技術】
【０００２】
地震や火災等の災害時には、体育館、公民館等の公共の場所が避難所として使用される。被災民は、かかる避難所を一時的な居住空間として使用するが、プライバシー保護の観点から、他人との居住空間を仕切るためのパーティションが必要である。かかる先行技術として、例えば、下記特許文献に開示されるパーティションが公知である。
【０００３】
特許文献１におけるパーティションは、建造物内の空間内に位置して空間を仕切る自立式フレキシブルパーティションであり、多数の壁面部がアコーディオン状に折り畳み可能に構成されている。
【０００４】
特許文献２におけるパーティション（間仕切り構造）も同様にアコーディオン状に折り畳み可能に構成されており、さらに、各壁面部を貫通する棚体が設けられている。
【先行技術文献】
【特許文献】
【０００５】
【特許文献１】特開平７−２５９２２４号公報
【特許文献２】特開２００８−２１４８５８号公報
【考案の概要】
【考案が解決しようとする課題】
【０００６】
上記先行技術に係るパーティションは、アコーディオン式に折り畳み可能であり簡易的な構造である。しかしながら、多数の避難民が殺到した場合、パーティションの設置位置を整然とさせておくことが難しい。すなわち、パーティションは移動しやすいだけに、各避難民の居住空間を予め決めて守らせることが難しいという問題がある。従って、自分の都合で勝手にパーティションを移動させて、他の避難民の居住空間を侵食してしまうという問題がある。また、避難所では、通路を確保することも重要であり、パーティションの勝手な移動により通路が確保できなくなるという問題もある。
【０００７】
本考案は上記実情に鑑みてなされたものであり、その課題は、簡易的に組み立てることが可能であり、かつ、各避難民の居住空間を固定されたものにすることができる避難所用折り畳み式パーティションを提供することである。
【課題を解決するための手段】
【０００８】
上記課題を解決するため本考案に係る避難所用折り畳み式パーティションは、
折り畳み状態、展開状態、組立状態の３つの態様をとることが可能な避難所用折り畳み式パーティションであって、
前記組立状態において、少なくとも１つの床面部と、この床面部を取り囲むように配置される複数の壁面部と、この壁面部で囲まれる空間を避難用の居住空間とし、かつ、前記壁面部の一部に扉が形成され、
前記床面部と前記壁面部を基本パーツの１つもしくは複数により構成し、基本パーツの間の境界ラインは、予め連結された第１ラインか、予め連結されない第２ラインかのいずれかに設定され、前記折り畳み状態とするに際しては、前記第１ラインで折り畳むことで、全体として扁平な直方体状に折り畳むことが可能に構成され、
前記折り畳み状態から展開して、床面部に対して壁面部を垂直に設定し、前記第２ラインを連結させることで、完成された組立状態とするように構成したことを特徴とするものである。
【０００９】
かかる構成による避難所用折り畳み式パーティションの作用・効果を説明する。このパーティションは、折り畳み状態、展開状態、組立状態の３つの態様をとることができる。パーティションを運搬するときは、折り畳み状態にすることで、持ち運びが容易な状態にする。避難所で組み立てる際は、折り畳み状態から展開状態に移行し、さらに、組立状態にして使用可能な状態にする。組立状態では、床面部とこれを取り囲む壁面部により構成される。壁面部により囲まれる空間が居住空間であるから、居住空間の大きさははじめから決められている。すなわち、床面部の面積が、居住空間の平面的な大きさを表し、固定された大きさになる。
【００１０】
床面部と前記壁面部を基本パーツの１つもしくは複数により構成され、基本パーツの間の境界ラインは、予め連結された第１ラインであれば、これを折り畳むことで、全体として扁平な直方体状とすることができ、持ち運びが容易になる。また、上記境界ラインには、予め、連結されていない第２ラインもあり、かかる第２ラインが設定されていることで、組立状態で立体的なパーティションを平面的な状態に折り畳ませることができる。予め、連結されていない第２ラインについては、必要に応じて、組立状態にしてから適宜の方法（例えば、ガムテープによる結合）により連結させることができる。
【００１１】
以上の構成によれば、境界ラインを折り畳むことで簡単に折り畳み状態とすることができ、それを展開していくことで最終的に組立状態に完成させることができる。居住空間は床面部の大きさに支配されるので、各避難民の居住空間を固定されたものにすることができる。
【００１２】
本考案に係る扉は、壁面部の中に折り曲げラインを設定することで、開閉可能な扉とすることが好ましい。かかる折り曲げラインを設けることで、簡単に扉を付加させることができる。
【００１３】
本考案において、前記居住空間の内部を仕切る室内用壁面部を組立状態において取り付け可能に構成したことが好ましい。これにより、決められた居住空間を複数に分割することができ、個人単位（あるいは家族単位）にプライバシーのある空間を提供することができる。
【００１４】
本考案において、前記居住空間の内部を仕切る室内用壁面部を設け、この室内用壁面部に仕切られた居住空間を行き来するための扉を形成したことが好ましい。かかる室内用壁面部を設けることで、例えば、家族２人で居住空間を使用する場合に、家族それぞれにプライバシーを考慮した居住空間を提供することができる。
【００１５】
本考案において、前記居住空間の一部に天井を形成するための天井部を壁面部と前記第１ラインにより連結していることが好ましい。居住空間の一部に天井を設けることで、よりプライバシーを考慮した居住空間を提供することができる。
【００１６】
本考案において、  床面部を複数の前記基本パーツに分割し、これら基本パーツどうしの境界ラインを前記第２ラインに設定していることが好ましい。
【００１７】
パーティションを構成するに際し、床面部の面積は、居住人数を考慮すると、壁面部の面積よりも大きくなる。従って、床面部を複数の基本パーツとして構成することで、折り畳み状態における折り畳みサイズを極力小さくすることができる。
【００１８】
本考案の前記組立状態において、前記組立状態において、床面部は前記基本パーツが上下に２枚重ねになることが好ましい。例えば、体育館のような避難所は、冬場においては、床面の温度も低く、床面部の厚さが薄いと、体感温度も低くなりがちである。そこで、床面部を基本パーツの２枚重ねになるように構成することで、断熱性を高めることができ、住み心地の良い空間とすることができる。
【００１９】
本考案において、前記床面部、壁面部は、段ボールにより形成することが好ましい。これにより、安価な段ボールを用いてパーティションを作成することができる。また、再利用することも可能であり、環境にも配慮したパーティションとすることができる。
【００２０】
本考案において、前記床面部、壁面部は、ウレタンボード、または、樹脂発泡ボードにより形成されることが好ましい。かかる素材を用いても、比較的安価で強度を有するパーティションを提供することができる。また、再利用することも可能である。
【図面の簡単な説明】
【００２１】
【図１Ａ】第１実施形態に係るパーティションの組立状態を示す図
【図１Ｂ】第１実施形態に係るパーティションの展開状態を示す図
【図１Ｃ】第１実施形態に係るパーティションの折り畳み状態を示す図
【図１Ｄ】第１実施形態に係るパーティションの折り畳み手順を示す図
【図２】第２実施形態に係るパーティションの組立状態を示す図
【図３Ａ】第３実施形態に係るパーティションの組立状態を示す図
【図３Ｂ】第３実施形態に係るパーティションの展開状態を示す図
【図４Ａ】第４実施形態に係るパーティションの組立状態を示す図
【図４Ｂ】第４実施形態に係るパーティションの展開状態を示す図
【図５】パーティションの配置構成例を示す図
【図６】第１実施形態に係るパーティションの別の展開状態を示す図
【考案を実施するための形態】
【００２２】
本考案に係る避難所用折り畳み式パーティション（以下、単に「パーティション」と称する。）の好適な実施形態を図面を用いて説明する。
【００２３】
＜第１実施形態＞
図１Ａは、第１実施形態に係るパーティションの組立状態を示す。図１Ｂは、パーティションを平面展開した状態を示す図である。図１Ｃは、折り畳み状態を示す図である。図１に示すように、パーティションは、床面部１と、この床面部１を四方から取り囲むように立てられる４つの壁面部２から構成される。壁面部２は、組み立てた状態では床面部１に対して垂直姿勢となる。４つの壁面部２のうちの１つは、開閉可能な扉２ａを有している。扉２ａは、壁面部２に折り曲げライン２ｂを設定することで、開閉可能にすることができる。折り曲げライン２ｂの位置は適宜決めることができる。図１Ａに示すパーティション（以下、「基本構成」ということがある。）を多数用意しておき、基本構成が同じものを多数、避難所に配置するようにする。
【００２４】
図１Ｂは、平面展開した状態を示す図である。同じ大きさの基本パーツが８つ（縦に２つ、横に４つ）組み合わさって構成されている。基本パーツの１つもしくは複数により床面部１あるいは壁面部２を構成する。なお、床面部１は、４つの基本パーツ１０，１１，１２，１３により構成され、大きさはすべて同じである。壁面部２も全部で４つの基本パーツを備えており、壁面部２の基本パーツと、床面部１を構成する基本パーツ１０〜１３は、同じ面積を有する矩形である。
【００２５】
図１Ｂに示すように、隣接する壁面部２どうしの境界ラインは、予め連結されており、第１ラインＬ１に相当する。また、各壁面部２の長辺側の境界ラインは、床面部１を構成する基本パーツ１０〜１３が予め連結されており、第１ラインＬ１に相当する。なお、展開状態において、隣接する基本パーツ１０〜１３どうしは、連結されていない境界ライン、すなわち、第２ラインＬ２に相当する。また、両端の壁面部２の短辺側の境界ラインは、予め連結されていない第２ラインＬ２に相当する。
【００２６】
なお、図１Ｂに示すように、壁面部２の１つに予め折り曲げライン２ｂを入れておくことが好ましい。これにより、組立作業のとき、扉２ａの形成個所を容易に把握することができる。また、図１Ｂにおいて、扉２ａが形成される一番右側の壁面部２については、第１ラインＬ１の全長が予め連結されているのではなく、扉２ａの幅に相当する境界部分２ｃについては、予め切り離しておくことが好ましい。これにより、作業現場で切り離し作業を行う必要がなく、組立が容易になる。もちろん、組立現場において切り込みを入れるように構成してもよい。なお、扉２ａを形成する壁面部２は、図１Ｂの右端の壁面部２に限定されるものではなく、他の壁面部２であってもよい。
【００２７】
図１Ｃは、図１Ｂの展開状態から図１Ａの組立状態へ移行する途中図を示す。図１Ｃからも理解できるように、床面部１は上面部と下面部の２重構造になる。上面部は、基本パーツ１１，１３により構成され、下面部は、基本パーツ１０，１２により構成される。なお、図示とは逆に、下面部を基本パーツ１１，１３により構成し、上面部を基本パーツ１０，１２により構成してもよい。図１Ａには、基本パーツ１１，１３が上面部を構成する床面部１が図示されている。
【００２８】
組立状態において、形状をしっかりと保持するためには、予め接続されていない境界ライン（第２ラインＬ２）を接続させる必要がある。例えば、互いに向かい合う基本パーツ１０，１２の境界ラインＬ３、同じく互いに向かい合う基本パーツ１１，１３の境界ライン１３、また、壁面部２と基本パーツ１１，１３の短辺側の境界ラインを連結することが好ましい。これらの境界ラインは、組立状態において、適宜の方法により連結される。例えば、ガムテープ等のテープ、接着剤等により連結することができる。また、そのほかの連結部材により連結するようにしてもよい。
【００２９】
以上のように、壁面部２の厚みは、１つのパーツの厚みで構成されるが、床面部１は、基本パーツ１０〜１３の二重構造となるので厚みは壁面部２の２倍となる。特に、冬場においては、避難所では暖房が効いていない可能性もあり、避難所の床面がかなり冷えている状態になる。従って、その冷温が伝わりにくい構造が望まれる。床面部１をパーツの二重構造にすれば、断熱性を高めることができ、快適な避難空間とすることができる。
【００３０】
図１Ｄは、展開状態から折り畳み状態へ移行する時の手順を示す図である。（ａ）（ｂ）（ｃ）（ｄ）の順で折りたたみ、（ｄ）が折り畳み状態を示す。図の矢印は折り畳み方向を示す。まずは、床面部１を構成する各基本パーツ１０〜１３を壁面部２を構成するパーツに重ねるように折り畳む（図１Ｄ（ｂ））。このとき、面積は展開状態からほぼ半分となる。次に、隣接する壁面部２の間の第１ラインに相当する個所を矢印の如く折り畳む（図１Ｄ（ｃ））。この状態は、扁平な直方体状になっており、コンパクトに折り畳まれ携帯性を有している。折り畳み状態の平面視では、図１Ｄ（ｄ）のようになり、平面的な大きさは、基本パーツの大きさと同一である。従って、携帯性に優れるとともに、上下方向にも多数を積み重ねて保管できるので、保管性にも優れている。
【００３１】
なお、折り畳み手順は上記に限定されるものではなく、種々の変形例が考えられる。例えば、図１Ｄでは、最初に壁面部２と床面部１の境界ラインを折り畳み、次に、壁面部２どうしの境界ラインを折り畳んだが、この順序を逆にしてもよい。すなわち、壁面部２どうしの境界ラインを先に折り畳んだのち、壁面部２と床面部１の境界ラインを後から折り畳んでもよい。最終的な折り畳み状態は、図１Ｄ（ｄ）に示す通りであり、大きさは同じである。
【００３２】
パーティションのサイズの一例を示す。床面部１のサイズは３ｍ×３ｍとすれば、家族４人用の居住空間として提供可能である。１人当たりの空間は、これまでの避難所の実績として防災計画では1人／２ｍ２程度を最低必要な目安として計画が組まれることからの設定である。
【００３３】
壁面部２の高さは１ｍ〜１．５ｍ程度にすることが好ましい。壁面部２の高さは高くすればするほど、プライバシー保護の点では好ましい。しかし、避難用であることを考慮すれば、パーティションの外部から内部を確認できることが望まれる。今回は４人仕様を基本に一辺を３ｍとしたことより、高さはより好ましい１．５ｍとした。又、天井については、オプション的に使用できる様にした、床面部１の大きさは、効率良く短期間で避難所に設営できる大きさで、保管時の収まりと扱いから３ｍ×１．５ｍを基本寸法に集約することも目的としており、４人用を基本サイズに予め決められたレイアウトに従って整然と設置し連結した後、仕切り板を使用して人数に対応する様にしている。しかし形状は、要求に合わせて上記の寸法に限定されるものではない。
【００３４】
上記のような寸法設定の場合、壁面部２の大きさと、床面部１を構成する基本パーツ１０〜１３のサイズは、３ｍ×１．５ｍとなる。従って、床面部１のサイズは、３ｍ×３ｍの正方形となり、床面部１を隙間なく構成することができる。
【００３５】
図１Ａに示すように、壁面部２には、番地表示部２０と表札部２１が設けられる。番地表示部２０には、例えば、体育館の中に設置するのであれば、予め決められた館内の位置が表示される。これにより、避難所での設置作業を効率よく短時間で行うことができる。なお、番地表示部２０と表札部２１は、扉２ａが形成される壁面部２に設けられる。あるいは、扉２ａに番地表示部２０と表札部２１を設けてもよい。扉２ａは、避難所の通路側に配置されるので、上記の構成により、パーティションに居住する避難者の氏名等を容易に確認することができる。
【００３６】
折り畳んだパーティション（パーティションとして使用する前）は、シュリンク包装（専用のビニールフィルムで覆い、加熱収縮させて固定保持する包装）し、さらに、防虫剤、除湿剤を入れてパック包装して保管しておくことが好ましい。また、避難所の大きさに合わせて、必要なパック数を保管し、各パックに管理（配置）ナンバーをつけておくことが好ましい。
【００３７】
パーティションを構成する床面部１や壁面部２は、紙製の段ボールにより形成することができる。段ボールの場合、使用後にリサイクル処理が可能になる。また、段ボールは、断熱性が高く、床面部１として用いる場合の厚みは、強度面も考慮して１０ｍｍ（二重に重なるため設置時の厚みは２０ｍｍ程度）となり好ましい。これにより、避難所の床面が冷えていたとしても、熱が逃げにくくなり、快適性を確保することができる。
【００３８】
材質は、紙製の段ボールに限定されるものではなく、樹脂製の段ボール、ウレタンボード、樹脂発泡ボード等を使用してもよい。材質等については、他の実施形態も同じである。
【００３９】
＜第２実施形態＞
次に、第２実施形態に係るパーティションの構成を説明する。図２は、組立状態を示す。図１Ａに示した基本構成のパーティションを２つ並べた状態を示している。１つの基本構成だと、床面部１の面積が３ｍ×３ｍであり４人家族に対応できるが、それ以上の人数の家族の場合には対応できない。例えば、８人家族の場合、基本構成のパーティションが２つ必要である。そこで、図２のように、隣接するパーティションを２つ利用するが、居住空間どうしがつながっているほうが好ましい。
【００４０】
前記のように複数の隣接するパーティションを１つの家族で使用する場合、床面部１を取り囲む壁面部２のうち、隣接する壁面部２ｘに扉２ｙを形成する。かかる構成により、居住空間を互いに行き来することができ、大家族用にも対応することができる。３つ以上を１つの家族で使用する場合にも、同様に形成することができる。
【００４１】
＜第３実施形態＞
次に、第３実施形態に係るパーティションの構成を説明する。図３Ａは、組立状態を示す。図３Ｂは、パーティションを平面展開した状態を示す図である。
【００４２】
床面部１の大きさは、第１実施形態と同じに設定している。この構成の特徴は、壁面部２の一部に設けられている扉２ａを内方に折り曲げると共に、天井部３を設けている点である。これにより、ある程度、プライバシーの保護を図ることができる。床面部１のサイズを３ｍ×３ｍとした場合、天井部３のサイズは、１ｍ×２ｍ程度にすることができる。扉２ａ自体は、開閉可能に設定すると共に、図３Ａに示すように内方に折り曲げることで、囲まれた居住空間を部分的に形成することができる。なお、天井部３の大きさについては、適宜変更することができる。
【００４３】
天井部３と向かい合う壁面部２に、窓２ｄを形成している。壁面部２を繰り抜くことで窓２ｄを形成することができる。なお、窓２ｄを形成するか否かは任意であり、また、どの壁面部２に窓２ｄを形成するかについても適宜行うことができる。
【００４４】
図３Ｂは、展開状態を示しており、図１Ｂに示す第１実施形態の展開状態に対して、壁面部２と天井部３が予め第１ラインＬ１により連結された構成である。境界部分２ｂや折り畳みライン２ｃの処理については、第１実施形態と同じでよい。折り畳みの手順については、天井部３を壁面部２に対して第１ラインＬ１で折り畳む手順が追加されるほかは、第１実施形態と同じである。折り畳み状態におけるサイズもほぼ第１実施形態と同じである。
【００４５】
＜第４実施形態＞
次に、第４実施形態に係るパーティションの構成を説明する。図４Ａは、組立状態を示す。図４Ｂは、パーティションを平面展開した状態を示す図である。
【００４６】
第４実施形態のパーティションは、第１実施形態に示す居住空間が室内用壁面部４により２分割されている。室内用壁面部４には、扉が設けられていない代わりに、１つの壁面部２の側に２つの扉２ａが設けられている。これにより、２人用の居住空間を２つにすることができる。この場合の居住空間の大きさは１．５ｍ×３ｍとなる。これにより、基本構成のパーティションを用いて、小家族用（２人以下）の居住空間を２つ形成することができる。
【００４７】
図４Ｂは展開状態を示す図である。基本的には、第１実施形態の図１Ａと同じである。２つ目の扉２ａを形成するためには、境界部分２ｄを切り離す必要があるが、切り離しは、作業を行うときに行えばよく、切り離し位置が分かるようにライン表示のみをしておけばよい。折り畳み状態における形態は、第１実施形態と同じである。従って、室内用壁面部４は、オプション的に追加するものであり、必要に応じてガムテープ等で固定すればよい。
【００４８】
＜パーティションの配置構成例＞
図５は、多数のパーティションの配置構成例を示す平面図である。例えば、体育館を避難所とした場合の配置構成例である。１つのパーティション（１パック＝基本構成）のサイズは３ｍ×３ｍである。１人当たりのスペースは２ｍ２として考える。図示の配置例では、４パックを１区画として、区画と区画の間に通路Ｒを形成している。これにより、整然とした状態でパーティションを配置することができ、人の移動の際にも混乱が生じることがない。扉２ａも同じ側にそろうようにする。
【００４９】
各パーティション内に収容される人数に応じて、室内用壁面部４を適宜設置することができる。室内用壁面部４の配置態様も、人数に応じて適宜変更することができる。例えば、１人だけであれば、図示のように、１．５ｍ×１．５ｍのスペースとなるようにすることができる。この場合、１．５ｍ×３ｍの大きさの室内用壁面部４を真ん中で折り曲げて床面部１の上に設置すればよい。また、５人家族を収容する場合には、２つのパーティションを占有させる方法もあるが、図示のように、隣接するパーティションを侵食する形で居住空間を拡張するような構成を採用してもよい。
【００５０】
＜組み立てまでの手順＞
パーティションの組立は次のように行う。まず、パーティションの包装を除去する。このとき、パーティションは、折り畳み状態である。次に、展開状態とする（例えば、図１Ｄの逆順をたどればよい）。なお、完全に平面展開する必要はなく、組み立て作業が行いやすいレベルに展開すればよい。展開状態として、折り畳みラインを折り曲げる。例えば、壁面部２を床面部１に対して垂直な状態に設定する。壁面部２どうしの境界ラインや、床面部１と壁面部２の間の境界ラインで連結されていない個所は、ガムテープ等により連結する。室内用壁面部４を設ける場合は、別途用意しておいた室内用壁面部３を同じガムテープ等により取り付ける。天井部３を別途設ける場合も同様にすることができる。
【００５１】
以上のように、パーティションの組み立ては、きわめて簡単な作業により短時間で行うことができ、緊急の場合にも容易に対応することができる。
【００５２】
＜作用・効果＞
以上のような構成によれば、避難所の限られたスペースを効率よく区画することができ、整然と配置することができる。通路も整然と形成することができ、人の行き来で混乱することがない。また、避難民が避難所に殺到して来た場合にでも、予め区画整理することができるので、陣取り合戦による混乱・トラブルをなくすことができる。
【００５３】
＜別実施形態＞
平面展開したときの形状は図１Ｂに限定されるものではなく、例えば、図６のような形状にしてもよい。この図では、床面部１の四辺が境界ラインにより連結されている。この境界ラインは、第１ラインＬ１に相当し、予め床面部１と壁面部２とが連結された状態になっている。また、展開したときに、隣接する壁面部２の境界ライン同士は連結されていない。従って、この境界ラインは、予め連結されない第２ラインに相当する。この第２ラインに相当する境界ラインＬ２は、組立状態において、例えば、ガムテープ等のテープ、接着剤等により連結することができる。また、そのほかの連結部材により連結するようにしてもよい。図６の場合、折り畳み状態におけるサイズは、床面部１の大きさと同じであり３ｍ×３ｍである。また、図１Ｂと同じ機能をする個所については、同じ図番を付すことにより説明を省略する。
【００５４】
本実施形態では、床面部の具体的なサイズを３ｍ×３ｍで説明したが、もちろん、これに限定されるものではなく、寸法は適宜決めることができる。高さについても同様である。
【００５５】
天井部３については、壁面部２に予め連結された構成を説明したが、室内用壁面部４と同様に、別部材として後から取り付けるように構成してもよい。
【００５６】
本実施形態では、床面部１を二重構造にする構成を説明したが、これに限定されるものではない。床面部１を一重にしてもよい。例えば、図１Ｂにおいて、床面部１は、基本パーツ１０，１２の２つのみ、あるいは、基本パーツ１１，１３の２つのみとしてもよい。他の実施形態も同様である。
【符号の説明】
【００５７】
１        床面部
２        壁面部
２ａ      扉
２ｂ      折り畳みライン
２ｃ      境界部分
２ｄ      窓
３        天井部
４        室内用壁面部
２０      番地表示部
２１      表札部
Ａ，Ｂ    折り畳みライン
Ｌ１      第１ライン（境界ライン）
Ｌ２      第２ライン（境界ライン）
【図１Ａ】
0003156202.tif 000003
【図１Ｂ】
0003156202.tif 000004
【図１Ｃ】
0003156202.tif 000005
【図１Ｄ】
0003156202.tif 000006
【図２】
0003156202.tif 000007
【図３Ａ】
0003156202.tif 000008
【図３Ｂ】
0003156202.tif 000009
【図４Ａ】
0003156202.tif 000010
【図４Ｂ】
0003156202.tif 000011
【図５】
0003156202.tif 000012
【図６】
0003156202.tif 000013